(57)【要約】【課題】  過渡的な車両挙動変化時のステア状態を操舵反力として正確に運転者に伝達できる車両用操舵装置を提供する。【解決手段】  ハンドル１の操舵状態を検出するトルクセンサ４と、舵取機構２に操舵補助力を加減算するモータ５と、操舵トルクに応じてモータ５に対し操舵補助力を増減する制御指令を出力するコントローラ１３と、を備えた車両用操舵装置において、車両後輪１６，１７の横力を検出する軸力センサ２０，２１を設け、コントローラ１３は、後輪横力が大きいほど、モータ５に対し操舵補助力を小さくさせる制御指令を出力する。【選択図】      図１
2005193779.tif 000002
【特許請求の範囲】
【請求項１】
ステアリング操作部材の操舵状態を検出する操舵状態検出手段と、
舵取機構に操舵補助力を加減算する動力源と、
前記操舵状態検出手段により検出された操舵状態に応じて、前記動力源に対し操舵補助力を増減する制御指令を出力する操舵制御手段と、
を備えた車両用操舵装置において、
車両後輪の横力を検出する後輪横力検出手段を設け、
前記操舵制御手段は、後輪横力検出手段により検出された後輪横力に応じて、操舵補助力を増減させることを特徴とする車両用操舵装置。
【請求項２】
請求項１に記載の車両用操舵装置において、
前記後輪横力検出手段は、
車両重心より後方位置に配置され、横Ｇを検知する横Ｇ検知手段と、
この横Ｇ検知手段により検出された横Ｇから後輪横力を算出する後輪横力算出手段と、
を備えることを特徴とする車両用操舵装置。
【請求項３】
請求項２に記載の車両用操舵装置において、
前記横Ｇ検知手段を、後輪車軸上に配置したことを特徴とする車両用操舵装置。
【請求項４】
請求項１ないし請求項３のいずれか１項に記載の車両用操舵装置において、
前記操舵制御手段は、後輪横力検出手段により検出された後輪横力が大きいほど、操舵補助力を小さくすることを特徴とする車両用操舵装置。
【請求項５】
請求項１ないし請求項４のいずれか１項に記載の車両用操舵装置において、
前記操舵制御手段は、後輪横力検出手段により検出された後輪横力の時間微分値が大きいほど、操舵補助力を小さくすることを特徴とする車両用操舵装置。
【請求項６】
請求項１ないし請求項５のいずれか１項に記載の車両用操舵装置において、
前記操舵制御手段は、車速、操舵速度または路面μの少なくとも１つに応じて、操舵補助力の増減量を変化させることを特徴とする車両用操舵装置。
【発明の詳細な説明】
【技術分野】
【０００１】
本発明は、操舵状態に応じて操舵補助力を増減制御する車両用操舵装置の技術分野に属する。
【背景技術】
【０００２】
従来の車両用操舵装置は、車両挙動のオーバーステアまたはアンダーステアといったステア状態をヨーレートから検出し、オーバーステア状態およびアンダーステア状態に応じて操舵補助力を増減させることで、運転者に対しステア状態を操舵反力として知らせている。
【特許文献１】特開平１１−１５２０５７号公報
【発明の開示】
【発明が解決しようとする課題】
【０００３】
しかしながら、上記従来技術にあっては、ステア状態の判断を定常状態の車両運動方程式から判断しているため、過渡的な車両挙動変化時に必要とされる反力制御を実施できない。また、ステア状態をハンドル角とヨーレートから判断しているため、操舵系の剛性に起因するハンドル角とタイヤ角の違いにより、ステア状態の推測精度が悪いという問題がある。
【０００４】
本発明は、上記問題に着目してなされたもので、その目的とするところは、過渡的な車両挙動変化時のステア状態を操舵反力として正確に運転者に伝達できる車両用操舵装置を提供することにある。
【課題を解決するための手段】
【０００５】
上述の目的を達成するため、本発明では、ステアリング操作部材の操舵状態を検出する操舵状態検出手段と、舵取機構に操舵補助力を加減算する動力源と、前記操舵状態検出手段により検出された操舵状態に応じて、前記動力源に対し操舵補助力を増減する制御指令を出力する操舵制御手段と、を備えた車両用操舵装置において、車両後輪の横力を検出する後輪横力検出手段を設け、前記操舵制御手段は、後輪横力検出手段により検出された後輪横力に応じて、操舵補助力を増減させることを特徴とする。
【発明の効果】
【０００６】
よって、本発明の車両用操舵装置では、後輪横力の増減に応じて操舵補助力、すなわち運転者に伝達される操舵反力が増減されるため、過渡的な車両挙動変化時のステア状態を操舵反力として正確に運転者に伝達できる。
【発明を実施するための最良の形態】
【０００７】
以下に、本発明の車両用操舵装置を実施する最良の形態を、実施例１、２に基づいて説明する。
【実施例１】
【０００８】
まず、構成を説明する。
図１は、実施例１の車両用操舵装置の構成を示すブロック図である。
実施例１の車両用操舵装置は、舵取り操作用のハンドル（ステアリング操作部材）１と舵取り動作を行う舵取機構２とを連結する操舵軸３に、ハンドル１に加わる操舵トルクを検出するトルクセンサ（操舵状態検出手段）４と操舵力補助用のモータ（動力源）５とが配置された、いわゆる電動パワーステアリングシステムである。
【０００９】
ハンドル１は、図示しない車室内部に運転者と対向するように、軸周りに回転可能に固定されている。舵取機構２は、操舵軸３の下端に一体形成されたピニオン６と、これに噛合するラック軸７とを備えるラック&ピニオン式の舵取り装置により構成される。
【００１０】
ラック軸７は、図示しない車両前部に、左右方向摺動可能に固定され、ラック軸７の両端は、左右のタイロッド８，９を介して、操向用の前輪１０，１１に連結されている。操舵を補助するモータ５は、モータ５の発生トルクを操舵軸３の回転トルクに変換するような減速機１２を介して、操舵軸３に結合されている。また、モータ５のモータ軸には、モータ５の回転数を検知するモータ速度センサ２２が取り付けられている。
【００１１】
後輪１６，１７は、図示しない車体に回転軸１８，１９を介して固定されている。回転軸１８，１９には、軸力センサ（後輪横力検出手段）２０，２１が取り付けられている。これら軸力センサ２０，２１により、車体と後輪間の軸力が計測され、両左右輪の軸力の和として、後輪１６，１７の横力が算出される。
【００１２】
コントローラ（操舵制御手段）１３には、トルクセンサ４からの操舵トルク信号と、軸力センサ２０，２１からの後輪２輪の横力信号と、車速センサ１４からの車速信号、モータ速度センサ２２からのモータ速度信号等が入力される。コントローラ１３は、各センサからの信号に基づいてモータ５を駆動制御し、運転者の操舵力（運転者に伝達される操舵反力）を調整する。
【００１３】
図２は、実施例１のコントローラ１３の制御ブロック図であり、コントローラ１３は、駆動電流算出部Ａと補正電流算出部Ｂとを備えている。
電動パワーステアリングシステムにおいては、運転者の操舵力を低減するために、駆動電流算出部Ａによりモータ５の駆動電流値を算出する。運転者によりハンドル１が操作されると、機械的な連結により前輪１０，１１が操向される。この時の負荷は、トルクセンサ４により捩れ操舵トルクとして検出される。トルクセンサ４の出力は、駆動電流算出部Ａに与えられる。さらに、駆動電流算出部Ａには、モータ速度センサ２２の出力と、車速センサ１４の出力が与えられる。
【００１４】
駆動電流算出部Ａは、操舵トルクから車速に応じた操舵トルク−ベースアシスト電流マップ２５を参照し、ベースアシスト電流値を算出する。また、モータの回転速度およびその微分値、車速等に基づいて、慣性補償電流値、ダンピング補償電流値および戻り補償電流値を演算し、これらをベースアシスト電流値に加算してモータ５の基本駆動電流値を算出する。
【００１５】
補正電流算出部Ｂには、右後輪軸力センサ２０と左後輪軸力センサ２１の出力、車速センサ１４の出力、モータ速度センサ２２の出力、および路面μが与えられる。路面μは、制駆動時のタイヤスリップ率等から推測する一般的な方法で求めることができる。
【００１６】
補正電流算出部Ｂは、右後輪横力と左後輪横力とを加算して後輪横力を演算し、演算した後輪横力から後輪横力−補正電流マップ２６を参照して基本補正電流値を算出する。後輪横力−補正電流マップ２６は、後輪横力が大きいほど、補正電流値が大きくなるような特性に設定されている。
【００１７】
また、車速、モータ速度および路面μに応じて、車速−補正係数マップ２７、操舵速−補正係数マップ２８および路面μ−補正係数マップ２９からそれぞれ補正係数を求め、これを算出した基本補正電流値に乗算し、モータ５の補正電流値を算出する。
【００１８】
車速−補正係数マップ２７は、車速が高いほど補正係数が大きくなるような特性に設定され、所定車速で一定の値となる。操舵速−補正係数マップ２８は、操舵速度が高いほど補正係数が大きくなるような特性に設定され、所定操舵速度以上で一定の値となる。路面μ−補正係数マップ２９は、路面μが大きいほど補正係数が小さくなるような特性に設定されている。
【００１９】
コントローラ１３は、算出した基本駆動電流値から補正電流値を減算して目標電流値を算出し、モータ電流センサ２４により検出される実電流値が目標電流値と一致するようにモータ５の駆動電流を制御する。モータ５へ供給される電源は、バッテリ１５により与えられる。
【００２０】
次に、作用を説明する。
後輪横力Ｆrは、車両２輪モデルで記述すると、下記の式(1)で表すことができる。
Ｆr＝ξ・Ｃr・（Ｌr・γ／Ｖ−β）  …(1)
ここで、ξは後輪のトレール、Ｃrは後輪２輪分のコーナリングパワー係数、Ｌrは重心と後輪車軸間距離、γはヨーレート、Ｖは車速、βは横滑り角である。
【００２１】
車速が高い場合にオーバーステア傾向になると、ヨーレートγは正の所定値から正方向へ急増し、横滑り角βは負の所定値から負方向へ急増することになる。ヨーレートγが正方向へ変化し、同時に横滑り角βが負方向へ変化すると、後輪横力Ｆrは大きくなる。
【００２２】
また、車速が高い場合にアンダーステア傾向になると、ヨーレートγは正の所定値からゼロ方向へ減少し、横滑り角βは負の所定値からゼロ方向へ増加する。この場合、後輪横力Ｆrは小さくなる。
【００２３】
すなわち、後輪横力Ｆrの増減を操舵補助力に反映させることにより、車両のステア状態を操舵反力として運転者に正確に伝達できる。
【００２４】
［後輪横力に基づく目標電流値補正作用］
後輪横力が小さい場合、すなわち、ヨーレートと横滑り角の少なくとも一方が小さい場合は、補正電流値が小さくなり、モータ５への電流指令値はほぼ補正電流の影響を受けない。一方、後輪横力が大きい場合、すなわち、ヨーレートと横滑りの少なくとも一方が（負へ）大きい場合は、補正電流値が大きくなり、モータ５への電流指令値は減り操舵が重くなる。
【００２５】
従って、オーバーステア時は、ヨーレートが大きくなり、横滑りが負へ大きくなるので、操舵力が重くなり、運転者がオーバーステア状態であると操舵力から判断できる上、操舵力が重いのでオーバーステア時のカウンター操舵が容易になる（操舵力が重い＝ハンドルを中立へ戻す力が大きい＝カウンター操舵時の操舵速度が上がる）。アンダーステア時は、ヨーレートが小さくなり、横滑りがゼロに近くなるので、操舵が軽くなり、運転者がアンダーステア状態であると操舵力から判断できる。
【００２６】
［車速に応じた目標電流値補正作用］
車速−補正係数マップ２７により、補正電流算出部Ｂでは、車速が高くなるほど補正電流値が大きくなるように設定される。すなわち、車速が高くなると車両挙動変化は大きくなるため、車速が高くなるほどモータ５の目標駆動電流値を減少させ、操舵反力を大きくすることにより、運転者に車両挙動変化を認識させやすくすることができる。
【００２７】
［操舵速に応じた目標電流値補正作用］
操舵速−補正係数マップ２７により、補正電流算出部Ｂでは、操舵速度が高いほど補正電流値が大きくなるように設定される。すなわち、操舵速（ハンドル１とモータ５はメカニカルにつながっているのでモータ速度）が高くなると、車両挙動変化は大きくなるため、操舵速度が高くなるほどモータ５の目標駆動電流値を減少させ、操舵反力を大きくすることにより、運転者に車両挙動変化を認識させやすくすることができる。
【００２８】
［路面μに応じた目標電流値補正作用］
路面μ−補正係数マップ２９により、補正電流算出部Ｂでは、路面μが大きいほど補正電流値が小さくなるように設定される。すなわち、路面μが低くなると車両挙動変化は大きくなるため、路面μが低いほど補正電流を大きくすることで、運転者に車両挙動変化を認識させやすくすることができる。
【００２９】
次に、効果を説明する。
実施例１の車両用操舵装置にあっては、以下に列挙する効果が得られる。
【００３０】
(1) コントローラ１３は、後輪横力に応じて操舵補助力を増減させるため、車両のステア状態を操舵反力として正確に運転者に伝達できる。
【００３１】
(2) コントローラ１３は、後輪横力が大きいほど操舵補助力を単調に減少させるため、後輪横力、すなわち、オーバーステアやアンダーステアの量に応じて増減量は変化し、車両挙動が小さい領域では操舵力変化を少なくし、車両挙動が大きな領域では操舵力変化を大きくして、運転者に車両挙動の変化を強調して伝えることが可能となる。
【００３２】
(3) コントローラ１３は、車速、操舵速および路面μに応じて操舵補助力の増減量を変更するため、運転者へ伝達する操舵反力を車両走行状態や操舵状況に合わせて変更でき、運転者に車両挙動の変化をより正確に伝達できる。
【実施例２】
【００３３】
まず、構成を説明する。
図３は、実施例２の車両用操舵装置の構成を示すブロック図であり、実施例２では、実施例１の軸力センサに代えて、後輪車軸上に横Ｇセンサ２３を設けた点で実施例１と異なる。なお、他の部位は実施例１と同一であるため、同一部位には実施例１と同一符号を付して説明を省略する。
【００３４】
コントローラ１３には、操舵トルク信号と後輪車軸上での横Ｇと車速等の信号が入力され、それらの状況に応じてモータ５を制御駆動することで、運転者の操舵力を調整している。
【００３５】
図４は、実施例２のコントローラ１３ａの制御ブロック図であり、コントローラ１３ａは、駆動電流算出部Ａと補正電流算出部Ｃとを備えている。補正電流算出部Ｃは、実施例１の補正電流算出部Ｂに対し、横力算出手段３０と、後輪横力微分値−補正電流マップ３１とを加えた点で実施例１と構成が異なる。
【００３６】
横力算出手段３０は、横Ｇセンサ２３の出力から後輪横力を算出する。後輪横力微分値−補正電流マップ３１は、後輪横力の時間微分値から第２補正電流を算出する。算出された後輪横力微分値−補正電流マップ３１は、後輪横力−補正電流マップ２６の出力である基本補正電流値に加算される。後輪横力微分値−補正電流マップ３１は、後輪横力微分値が大きいほど、補正電流値が大きくなるような特性に設定されている。
【００３７】
次に、作用を説明する。
実施例２では、横Ｇセンサ２３が後輪車軸上に配置されているため、横Ｇは下記の式(2)で表すことができる。
α＝Ｆｍ／ｍ＝ξ・Ｃr・（Ｌｍ・γ／Ｖ−β）  …(2)
ここで、Ｆｍは横Ｇ検知位置での仮想横力、Ｌｍは重心から横Ｇ検知位置までの距離、その他は実施例１と同じである。
【００３８】
したがって、車速が高い場合にオーバーステア（スピン）になると、γは正の所定値から正方向へ急増し、βは負の所定値から負方向へ急増することになる。上記式(2)において、γが正方向へ、および、βが負方向へ変化するとαは大きくなることになる。また、車速が高い場合にアンダーステアになると、γは正の所定値からゼロ方向へ減少し、βは負の所定値からゼロ方向へ増加する。この場合は、上記式(2)において、αは小さくなることを意味する。よって、横Ｇの増減を操舵反力に反映させることで、車両のステア状態を正確に運転者に操舵反力として伝達できる。
【００３９】
［後輪横力の時間微分値に基づく目標電流値補正作用］
後輪横力微分値−補正電流マップ３１により、補正電流算出部Ｃでは、後輪横力の時間微分値が大きいほど補正電流値が大きくなるように設定される。すなわち、車両挙動変化が大きい場合は、後輪横Ｇの時間微分値は大きくなるので、車両挙動変化の大きさに応じてモータ５の目標駆動電流値を減少させ、操舵反力を変化させることで、運転者に車両挙動の変化を強調して伝えることが可能となる。
【００４０】
次に、効果を説明する。
実施例２の車両用操舵装置にあっては、実施例１の(1)〜(3)の効果に加え、以下に列挙する効果が得られる。
【００４１】
(4) コントローラ１３ａは、車両重心より後方位置に設けた横Ｇセンサ２３の出力から横力検出手段３０により後輪横力を算出するため、横Ｇの増減を操舵反力に反映させることができ、車両のステア状態を運転者に対し操舵反力として伝達できる。また、横Ｇ検知位置を変更することで、ヨーレートと横滑り角の操舵力に対する寄与を変更することが可能となるので、車両個々の特性によって決まる車両挙動に合わせて操舵反力変化を容易にチューニングできる。
【００４２】
(5) 横Ｇセンサ２３を後輪車軸上に設けたため、車両のステア状態を運転者に対し操舵反力としてより正確に伝達できる。
【００４３】
(6) コントローラ１３ａは、後輪横力の時間微分値に応じて操舵補助力を小さくするため、車両挙動変化が緩やかな領域では操舵反力変化が小さく、車両挙動変化が急激な領域では操舵反力変化が大きくなり、運転者に車両挙動の変化を強調して伝えることが可能となる。
【００４４】
（他の実施例）
以上、本発明を実施する最良の形態を、実施例１，２に基づいて説明したが、本発明の具体的な構成は、実施例１，２に限定されるものではなく、発明の要旨を逸脱しない設計変更等があっても本発明に含まれる。
【００４５】
実施例１，２では、本発明を電動パワーステアリングシステムに適用した例を示したが、運転者の操舵状態や車両の走行状態にかかわりなく操舵反力を調整可能な車両用操舵装置に本発明を適用してもよい。例えば、モータで油圧ポンプを駆動し油圧ポンプの力で操舵反力を増減させる、いわゆるモータ駆動油圧パワーステアリングシステムに適用してもよいし、操舵ハンドルとタイヤがメカニカルに接続されておらず、操舵ハンドルの反力を任意に発生可能な、いわゆるステアバイワイヤシステムに適用してもよい。
【００４６】
また、実施例１，２の構成において、各構成品は相当の機能を持つものであれば、上記以外でも構わないし、取り付け部位が変更されても構わない。例えば、モータ速度の代わりにモータ角度を計測したり、モータ速度を直接計測せずに、モータの逆起電力からモータ速度を算出してもよい。また、後輪横力の計測に左右後輪１６，１７にそれぞれ軸力センサ２０，２１を付けているが、左右後輪１６，１７が連結されていれば、軸力センサは一つで構わないし、軸力センサ以外にロードセルや微小な変位を計測するストロークセンサ等を用いても構わない。
【図面の簡単な説明】
【００４７】
【図１】実施例１の車両用操舵装置の構成を示すブロック図である。
【図２】実施例１のコントローラ１３の制御ブロック図である。
【図３】実施例２の車両用操舵装置の構成を示すブロック図である。
【図４】実施例２のコントローラ１３ａの制御ブロック図である。
【符号の説明】
【００４８】
１  ハンドル
２  舵取り機構
３  操舵軸
４  トルクセンサ
５  モータ
６  ピニオン
７  ラック
８，９  タイロッド
１０，１１  前輪
１２  減速機
１３，１３ａ  コントローラ
１４  車速センサ
１５  バッテリ
１６，１７  後輪
１８，１９  後輪回転軸
２０，２１  軸力センサ
２２  モータ角度センサ
２３  横Ｇセンサ
２４  モータ電流センサ
２５  操舵トルク−ベースアシスト電流マップ
２６  後輪横力−補正電流マップ
２７  車速−補正係数マップ
２８  操舵速−補正係数マップ
２９  路面μ−補正係数マップ
３０  横力算出手段
３１  後輪横力微分値−補正電流マップ
【図１】
2005193779.tif 000003
【図２】
2005193779.tif 000004
【図３】
2005193779.tif 000005
【図４】
2005193779.tif 000006